(57)【要約】【課題】包装部材を減らし包装作業を簡素化することにより、包装コストの削減を実現する照明器具の包装装置を提供する。【解決手段】照明器具の本体３の上にグローブ４を重ね合わせて収納する包装箱１と、前記本体３に装着され、前記本体３を前記包装箱１に固定させる固定具２と、を備え、前記包装箱１の底部が複数のフラップで形成され、前記フラップのうち前記包装箱１内側の底面を形成する内フラップ１２ａに前記固定具２を取り付け可能である。【選択図】図１
2009143610.tif 000002
【特許請求の範囲】
【請求項１】
照明器具の本体の上にグローブを重ね合わせて収納する包装箱と、前記本体に装着され、前記本体を前記包装箱に固定させる固定具と、を備え、
前記包装箱の底部が複数のフラップで形成され、前記フラップのうち前記包装箱内側の底面を形成する内フラップに前記固定具を取り付け可能である照明器具の包装装置。
【請求項２】
前記内フラップが前記包装箱の対向する２枚の側板に設けられた２枚のフラップからなり、前記２枚のフラップの先端にはそれぞれ切り欠き部が設けられ、２つの前記切り欠き部が一体となって、前記固定具を取り付けるための１つの開口を形成している、請求項１に記載の照明器具の包装装置。
【請求項３】
前記開口が前記固定具に対応した形状を有し、前記固定具の下端には前記開口と係合可能なフランジ部が設けられている、請求項２に記載の照明器具の包装装置。
【請求項４】
前記グローブの外周と接し、前記本体と前記グローブを囲うように前記包装箱に収納される補強筒を備え、前記補強筒が前記包装箱の上部と前記底部とで位置決めされるように形成されている、請求項１から３のいずれか１項に記載の照明器具の包装装置。
【請求項５】
前記補強筒に前記照明器具の付属品を収納する収納部が設けられている、請求項４に記載の照明器具の包装装置。
【請求項６】
前記固定具が前記照明器具の付属品を収納可能に形成されている、請求項１から４のいずれか１項に記載の照明器具の包装装置。
【発明の詳細な説明】
【技術分野】
【０００１】
本発明は、照明器具の包装装置に関する。
【背景技術】
【０００２】
従来の照明器具の包装装置においては、照明器具を固定するための固定板を準備し、それに照明器具本体を固定して包装箱に収納し、包装する方法が取られていた。
【０００３】
図３に、そのような従来の包装装置の一例を示す。
【０００４】
包装箱１０とほぼ同じ大きさの固定板７の中央には開口７１が設けられ、そこに固定具２０が嵌め込まれる。固定具２０の上部に照明器具の本体３を装着し、それにより本体３は固定板７に固定される。本体３の上にグローブ４を載せ、グローブ４の外周に沿うように、補強筒５０をグローブ４に取り付ける。照明器具の付属品６ａ、６ｂは、補強筒５０の側面にテープ等で取り付けられたり、または固定具２０の内部に収納されたりしている。この状態で照明器具一式を横入れ式の包装箱１０に挿入し、包装が行われる。
【発明の開示】
【発明が解決しようとする課題】
【０００５】
上記の照明器具の包装装置では、照明器具を固定するための固定板を必要としており、コスト面だけでなく、環境面からもこのような包装部材を減らすことが望まれている。また、固定具の固定板への取り付け、照明器具本体の固定具への装着やそれらの包装箱への挿入など、包装作業の行程が増える点も、包装コストの面から解決すべき課題となる。
【０００６】
そこで本発明は、包装部材を減らし包装作業を簡素化することにより、包装コストの削減を実現する照明器具の包装装置を提供することを目的とする。
【課題を解決するための手段】
【０００７】
上述した課題を解決するために、本発明の照明器具の包装装置は、照明器具の本体の上にグローブを重ね合わせて収納する包装箱と、前記本体に装着され、前記本体を前記包装箱に固定させる固定具と、を備え、前記包装箱の底部が複数のフラップで形成され、前記フラップのうち前記包装箱内側の底面を形成する内フラップに前記固定具を取り付け可能である。
【発明の効果】
【０００８】
本発明によれば、包装部材を減らし包装作業を簡素化することにより、包装コストの削減を実現する照明器具の包装装置を提供することができる。
【発明を実施するための最良の形態】
【０００９】
以下に、本発明の実施形態における照明器具の包装装置について、図１および図２を参照して説明する。
【００１０】
図１に、包装装置の分解斜視図を示す。包装箱１は、側板１１の上下に設けられたそれぞれ４枚のフラップが、上部および底部を形成するような構成となっている。底部を形成する４枚のフラップのうち、対向する２枚の側板１１に設けられた２枚のフラップが１組となって、それぞれ包装箱１の内側の底面および外側の下面を形成する。底面を形成するのが内フラップ１２ａ、下面を形成するのが外フラップ１２ｂである。
【００１１】
２枚の内フラップ１２ａの先端には、それぞれ切り欠き部１４が設けられている。内フラップ１２ａが閉じられ包装箱１の底面が形成されると、２つの切り欠き部１４は一体となって、底面の中央付近に固定具２の形状に対応した円状の開口１５を形成する（図２）。固定具２は、上部に本体３を装着できるように形成されており、また下端には開口１５と係合可能なフランジ部２１が設けられている。
【００１２】
包装手順は、まず、包装箱１の下面を外フラップ１２ｂで閉塞した状態で、固定具２を内フラップ１２ａに取り付ける。そのとき、固定具２は、フランジ部２１の上部で、２つの切り欠き部１４がつくる開口１５に挟み込まれている。したがって、固定具２のフランジ部２１は、内フラップ１２ａと外フラップ１２ｂとの間に挟まれた状態となる。
【００１３】
次に、固定具２の上部に本体３を装着する。グローブ４は、本体３の上に積み重ねた状態で包装箱１に挿入し、そのグローブ４を囲うように補強筒５を包装箱１に収納する。補強筒５は、グローブ４の外周部に接した状態で、グローブ４を挿入できるように形成されており、その高さは包装箱１の内寸の高さと同等である。したがって、補強筒５は、グローブ４を保持する役目と同時に、包装箱１に収納されて包装箱１を補強する役目を持つ。
【００１４】
補強筒５を包装箱１に収納した後、上部を形成するフラップ１３を閉じて、包装箱１を包装する。補強筒５は、包装箱１の上部と底部で位置決めされると、包装箱１の底面、つまり内フラップ１２ａを押しつけることになる。そうすると、外フラップ１２ｂと内フラップ１２ａの間に挟まれたフランジ部２１が押しつけられて固定され、これにより固定具２は包装箱１に固定される。このようにして、固定具２に装着された本体３が包装箱１内で安定した状態となる。グローブ４も、包装箱１の内側で位置決めされた補強筒５に保持されており、容易には動かなくなる。
【００１５】
リモコン送信機や照明器具取り付け用アダプタなど、照明器具の付属品６ａ、６ｂは、補強筒５の側面に設けられた収納部５１に収納される。また付属品６ｂは、例えば固定具２を中空に形成し、その中に収納することも可能である。いずれにしても、テープ等の付加的な包装部材を使用することなく、また面倒な手順も踏むことなく、付属品６ａ、６ｂを容易に包装箱１に収納できる。
【００１６】
以上のように、照明器具の本体３が固定具２を介して包装箱１に直接固定されるため、従来の包装装置で用いられていた固定板は不要となり、包装部材の削減が可能となる。また、固定具２を箱に取り付けるための付加的な部品も不要であり、この点も包装の簡素化につながっている。さらに、本体３を包装箱１に設置する作業と収納する作業が同一であることや、収納部５１を設けたことで付属品６ａ、６ｂを取り付ける手間も省けることから、包装作業の効率も向上している。
【図面の簡単な説明】
【００１７】
【図１】本発明の実施形態における照明器具の包装装置を示す分解斜視図である。
【図２】本発明の実施形態における下面を閉じた状態の包装箱を示す斜視図である。
【図３】従来の照明器具の包装装置を示す分解斜視図である。
【符号の説明】
【００１８】
１  包装箱
１１  側板
１２ａ  内フラップ
１４  切り欠き部
１５  開口
２  固定具
２１  フランジ部
３  本体
４  グローブ
５  補強筒
５１  収納部
６ａ、６ｂ  付属品
【図１】
2009143610.tif 000003
【図２】
2009143610.tif 000004
【図３】
2009143610.tif 000005